(57)【要約】【課題】収納具として収納棚に加えて、棚下バー、フック等の付加的な収納具を取り付けることができ、収納棚の下方のスペースを収納スペースとし有効に活用して収納量を増加させる。【解決手段】収納掛留具１は、浴室等の壁面に固定され、収納具を引っ掛け固定するものであり、軸部２と、軸部２より大径であって軸部２の先端、中央及び基端等、軸方向に複数設けられた保持部３とを備えており、収納具は、収納掛留具１に、引っ掛け固定する収納棚６と棚下バー８を備え、収納棚６は、少なくとも底面部と前面に落下防止部を有し、棚下バー８はワイヤーで形成されている。【選択図】図３
2015062607.tif 000002
【特許請求の範囲】
【請求項１】
壁面に設けられ、収納具を引っ掛け固定する収納掛留具において、収納掛留具は軸部と軸部より大径の保持部からなり、保持部が軸部の軸方向に複数設けられていることを特徴とする収納掛留具。
【請求項２】
請求項１に記載の収納掛留具において、保持部が軸部の先端と略中央部に設けられていることを特徴とする収納掛留具。
【請求項３】
請求項１又は２に記載の収納掛留具において、保持部の少なくとも一つが別部材で構成され、取り外し可能に設けられていることを特徴とする収納掛留具。
【請求項４】
請求項１から３のいずれかに記載の収納掛留具に、引っ掛け固定する収納棚と棚下バーを備えた収納具であって、収納棚は底面部と前面に落下防止部を有し、棚下バーはワイヤーで形成されていることを特徴とする収納具。
【発明の詳細な説明】
【技術分野】
【０００１】
本発明は、例えば浴室等で使用する収納具の技術に関し、特に、収納掛留具及び該収納掛留具に引っ掛け固定して使用する収納具（以下、「収納掛留具及び収納具」という）に関するものである。
【背景技術】
【０００２】
従来、浴室の側壁に棚を着脱可能に取り付けるために、浴室の側壁に固定された掛止め具は知られている（特許文献１参照）。また、棚枠の下方に板片を介して吊り掛け枠を設け、板片の連動牽引による、棚枠と吊り掛け枠を連動させて、不使用時には折りたたむことが可能な構成が知られている（特許文献２参照）。
【０００３】
ところで、浴室の鏡の横に設置される収納棚は、基本的には、シャンプーボトル等の小物を置くことを用途としている。このような収納棚に、小物を引っ掛けられるフック部を設け、付加機能を付した収納棚が知られている。
【０００４】
例えば、浴室のカウンターユニットに吊下げ収納具を引っ掛けて使用することができる構成が知られている（特許文献３参照）。また、室内の壁面に沿って取り付けられたカウンター本体に取り付けられた化粧カバーの下部に、横方向に移動可能なフック付きレールを設けた構成が知られている（特許文献４参照）。
【先行技術文献】
【特許文献】
【０００５】
【特許文献１】特開平８−１９４８６号公報
【特許文献２】実開平７−３４７８号公報
【特許文献３】特許第３７１１９３３号公報
【特許文献４】特開２００６−２７１８５１号公報
【発明の概要】
【発明が解決しようとする課題】
【０００６】
しかしながら、特許文献１記載の掛止め具は、浴室の側壁に棚を着脱可能に取り付けることはできるが、棚に加えてフック等の収納具を取り付けることはできない。そして、従来のフック部を設けた収納棚については、例えば、次のような問題がある。特許文献２記載の棚の下方に設けた吊り掛け枠及び特許文献４記載のフック付きレールは、構造が必ずしも簡単ではない。
【０００７】
また、特許文献３記載の吊下げ収納具は、吊下げ収納具をカウンターに吊下げた構成であるので、カウンター自体に荷重がかかるために、吊下げ収納具には軽量の物品しか掛けられないという問題がある。
【０００８】
なお、壁に取り付けた棚に、吊下げ収納具を別途取り付けると、壁への取付け箇所も増え、取付け部材及び取付けの加工のための手間が多くなり、すっきりせず見栄えも損なわれるという問題がある。
【０００９】
本発明は、上記従来の収納棚の下方に設ける棚下の収納具の問題を解決することを目的とするものであり、壁に収納棚だけでなく、収納棚に加えて吊下げ収納具（棚下バー）、フック等の付加的な収納具を取り付けることのできる収納掛留具を実現することを課題とする。
【００１０】
本発明は、さらに、壁への取付け箇所を増やすことない簡単な取付け構造を有し見栄えも損なうことなく、壁に取り付けた収納棚の下方のスペースを収納スペースとし有効に活用して収納量を増加させることができ、しかも、上方の収納棚自体に荷重をかけることなく、重量物も掛けることができる、吊下げ収納具を備えた収納具を実現することを課題とする。
【課題を解決するための手段】
【００１１】
本発明は上記課題を解決するために、壁面に設けられ、収納具を引っ掛け固定する収納掛留具において、収納掛留具は軸部と軸部より大径の保持部からなり、保持部が軸部の軸方向に複数設けられていることを特徴とする収納掛留具を提供する。
【００１２】
保持部が軸部の先端と略中央部に設けられていることが好ましい。
【００１３】
保持部の少なくとも一つが別部材で構成され、取り外し可能に設けられていることが好ましい。
【００１４】
本発明は上記記載の収納掛留具に、引っ掛け固定する収納棚と棚下バーを備えた収納具であって、収納棚は底面部と前面に落下防止部を有し、棚下バーはワイヤーで形成されていることを特徴とする収納具を提供する。
【発明の効果】
【００１５】
本発明に係る収納掛留具及び収納具は、簡単な構造の収納掛留具によって、収納具として収納棚に加えて、棚下バー、フック等の付加的な収納具を取り付けることができ、収納棚の下方のスペースを収納スペースとし有効に活用して収納量を増加させることができる。
【００１６】
また、本発明に係る収納掛留具及び収納具は、上方の棚下バーを収納棚に取り付ける構造ではないので、棚自体に荷重をかけることがなく、ある程度、重量を有する物品でも、棚下バーに掛けることが可能となる。
【図面の簡単な説明】
【００１７】
【図１】本発明に係る収納掛留具及び収納具の実施例１を説明する図であり、（ａ）は収納掛留具とその固定のためのネジの斜視図であり、（ｂ）は収納掛留具の断面図であり、（ｃ）及び（ｄ）は収納棚を斜め後方側及び斜め前方側から見た斜視図である。
【図２】上記実施例１を説明する斜視図であり、（ａ）は棚下バーを示し、（ｂ）は収納掛留具に棚下バーを装着した状態を示し、（ｃ）は収納棚と棚下バーを組み立てた状態を示す。
【図３】（ａ）、（ｂ）は、上記実施例１の収納棚の掛留具受け部を説明する図であり、（ｃ）は掛留具受け部に収納掛留具を嵌合した状態を示す図であり、（ｄ）は掛留具受け部の変形例を示す図であり、（ｅ）は該変形例の掛留具受け部に収納掛留具を嵌合した状態を示す図である。
【図４】（ａ）はさらに別の変形例の掛留具受け部に収納掛留具を嵌合した状態を示す図であり、（ｂ）は（ａ）の要部を示す拡大図であり、（ｃ）は上記実施例１の収納掛留具及び収納具を浴室等の壁面に取り付けた状態を示す図である。
【図５】上記実施例１の収納掛留具及び収納具の使用状態を説明する図であり、（ａ）は棚下バーにタオル及びフックを掛けて使用する状態を示す図であり、（ｂ）は棚下バーにマイケアミスト（登録商標）を掛けて使用する状態を示す図である。
【図６】本発明に係る収納掛留具及び収納具の実施例２を説明する図であり、（ａ）及び（ｂ）は収納掛留具本体の斜視図及び断面図であり、（ｃ）及び（ｄ）は収納掛留具の第２の保持部を示す斜視図及び断面図である。収納掛留具の断面図である。
【図７】上記実施例２を説明する図であり、（ａ）及び（ｂ）は第２の保持部の構成、作用を説明する正面図であり、（ｃ）は収納掛留具の断面図であり、（ｄ）は実施例１の収納掛留具の断面図である。
【図８】本発明に係る収納掛留具及び収納具の実施例３を説明する図であり、（ａ）は収納掛留具及びフック付きネジキャップを分解した状態を示す断面図であり、（ｂ）は収納掛留具にフック付きネジキャップを螺着した状態を示す断面図であり、（ｃ）は実施例３の使用状態を説明する図である。
【発明を実施するための形態】
【００１８】
本発明に係る収納掛留具及び該収納掛留具に引っ掛け固定して使用する収納具を実施するための形態を実施例に基づき図面を参照して、以下説明する。
【実施例】
【００１９】
(実施例１）
本発明に係る収納掛留具及び収納具の実施例１を説明する。この実施例１では、収納具は浴室収納具の例で説明し、本説明では、浴室の壁面に向かって手前側を前方とし、奥側を後方とする。
【００２０】
収納掛留具：
本発明に係る収納掛留具は、浴室壁面に取り付けられ、後記する浴室収納具を引っ掛け固定するものである。本発明に係る収納掛留具１は、図１（ａ）、（ｂ）に示すように、軸部２と、軸部２より大径の円盤状の保持部３と、壁固定部１５と、を互いに同心で一体として備えている。
【００２１】
保持部３は、軸部２の軸方向に複数設けられている。本実施例１では、図１（ａ）、（ｂ）に示すように、保持部３は２つ設けられている。即ち、軸部２の先端（前端）に第１の保持部１３が設けられ、軸部２の略中央部に第２の保持部１４が設けられている。壁固定部１５は、軸部２の基端（後端）に設けられており、図４（ｃ）に示すように、浴室の壁面１８に当接して固定される固定盤として機能する。
【００２２】
第１の保持部１３と第２の保持部１４の間に環状の第１の溝２０が形成され、第２の保持部１４と壁固定部１５の間に環状の第２の溝２１が形成されている。なお、保持部３の数及びその軸方向における配置は、図１（ａ）、（ｂ）に示す構成に限定されるものではない。
【００２３】
収納掛留具１は、例えば、樹脂材、木材、又は金属材等で形成されており、軸部２及び保持部３の中心部を貫通するように、ネジ通し孔２３が形成されている。収納掛留具１は、ネジ通し孔２３を通して挿通されるネジ２４によって、壁固定部１５が浴室の壁面１８に当接するようにして固定される。
【００２４】
浴室収納具：
浴室収納具２７は、収納棚６及び棚下バー８の両方を備えていることが好ましいが、そのいずれかだけで使用する場合でもよい。本実施例１では、浴室収納具２７については、収納棚６及び棚下バー８を備えた構成について説明する。収納棚６と棚下バー８は、いずれも収納掛留具１に引っ掛け固定して使用する。
【００２５】
収納棚は、少なくとも底面部と前面に落下防止部を備えている。本実施例では、図１（ｃ）、（ｄ）に示すように、収納棚６は、底面部２８と前面の落下防止部２９を備えており、加えて、左右の側面の落下防止部３０及び後面の落下防止部３１を備えている。要するに、底面部２８の周囲を囲うように落下防止部（換言すると、底面部２８の周囲を囲うように左右の側壁、前壁及び後壁から成る周壁）を備えている。
【００２６】
落下防止部３１の左右には、それぞれ収納掛留具１に嵌合させて収納棚６を浴室の壁面１８に取付けるための掛留具受け部７が形成されている。掛留具受け部７は、図３（ａ）、（ｂ）に示すように、空孔３４と開口部３５を有する。空孔３４は、落下防止部３１の後面側及び下面側において、開口部３５を介して外部に開口する。落下防止部３１は、開口部３５に面するように上縁部４４（以下、「掛留具受け部７の上縁部４４」という）が形成されている。
【００２７】
空孔３４は、開口部３５より高さ及び横幅が大きく形成されている。空孔３４に収納掛留具１が嵌合されるが、その構成として、空孔３４の前方への奥行きを、図３（ｂ）に示すように深くして、図３（ｃ）に示すように収納掛留具１を深く嵌合する構成と、図３（ｄ）に示すように浅くして、図３（ｅ）に示すように収納掛留具１を浅く嵌合する構成がある。
【００２８】
棚下バー８は、強度を有する金属材又は樹脂材等から成るワイヤーから形成されており、図２（ａ）に示すように、平面視でコの字状の支持部３８と、支持部３８の左右の後端から上方に起立され上端に環状の係止環９が形成された起立部３９と、を備えている。
【００２９】
この実施例１では、起立部３９から後方に向けて突出したコの字状の突っ張り部４０と、支持部３８と起立部３９間に設けられた補強部４１とが形成されている。但し、このような突っ張り部４０や補強部４１を設ける構成は、一例であって、軽量な小物を引っ掛けるような場合は、突っ張り部４０や補強部４１を設けない構成としてもよい。
【００３０】
第１の保持部１３及び第２の保持部１４は、その直径は棚下バー８の係止環９の直径より小さくする。これにより、係止環９を、図２（ｂ）、図３（ｃ）に示すように、第１の保持部１３を通して第１の溝２０に掛けることが可能となる。また、係止環９を、図３（ｅ）に示すように、第２の保持部１４及び第１の保持部１３を通して、第２の溝２１に掛けることが可能となる。
【００３１】
（作用）                             
本発明に係る収納掛留具及び収納具の組立及び使用態様を通して作用を説明し、収納掛留具１及び浴室収納具２７の構成をさらに明確にする。
【００３２】
まず、左右の収納掛留具１を、ネジ通し孔２３を通したネジ２４で、浴室の壁面１８に固定する。なお、接着剤等を使用して壁固定部１５を壁面１８に接着して固定してもよい。また、壁固定部１５の後面に吸着盤を設け、その吸着機能で取付ける構成としてもよい。さらに、壁面１８が金属材の場合は、壁固定部１５に磁石を設けて、浴室の壁面１８にも金属板を取り付けて磁力で吸着させてもよい。
【００３３】
次に、図２（ｂ）に示すように、左右の収納掛留具１に、棚下バー８の左右の係止環９を通して第１の溝２０に掛けて、棚下バー８を掛ける。これにより、棚下バー８を壁面１８に取り付けることができる。
【００３４】
次に、壁面１８に取り付けられた棚下バー８の上方から収納棚６を下方に移動して、図３（ｃ）に示すように、収納棚６の空孔３４内に棚下バー８の第１の保持部１３と第２の保持部１４を、相対的に下方から嵌合する。この状態では、掛留具受け部７の上縁部４４は、第２の溝２１内に嵌入される。   
【００３５】
以上の作業によって、収納棚６は、図２（ｃ）、図４（ｃ）に示すように、浴室の壁面１８に水平な状態で取り付けられる。そして、棚下バー８は、掛留具受け部７に係止環９が係止されて収納掛留具１によって吊持され、しかも突っ張り部４０が壁面１８に当接して、支持部が収納棚６の下方において水平な状態となる。
【００３６】
このようにして壁面１８に取り付けられた浴室収納具２７を使用する際には、収納棚６の上に物品（図示せず）を載置して収納できる。そして、棚下バー８には、図５（ａ）に示すように、タオル４５を掛けたり、フック４６を掛けそのフック４６に物品を引掛けて使用する。
【００３７】
また、棚下バー８には、図５（ｂ）に示すように、マイケアミスト（登録商標）４７等の物品も掛けて使用することができる。このように、浴室収納具２７は、収納棚６だけの場合に比べて収納力が格段にアップする。
【００３８】
本発明の浴室収納具２７では、棚下バー８を、収納棚６ではなく収納掛留具１に取り付ける構成としたから、物品を収納した際の積載荷重が、収納棚６と棚下バー８に別々にかかるようになり、収納棚６の強度を上げる必要なく棚下バー８へ重いものを掛けられるようになる。
【００３９】
そして、一つの収納掛留具１に、棚下バー８と収納棚６の両方を取り付ける構成としたから、浴室の壁面１８への取り付け部材の部品点数を増やさずに済む。また、浴室の壁面１８へ棚下バー８を取り付ける部分を、収納棚６によって隠すことができるので、外観上は、収納棚６と棚下バー８が一体に見えて、見た目にもスッキリすることができる。
【００４０】
さらに、収納棚６と棚下バー８が互いに分離されているので、分解して清掃が可能となり清掃性が向上する。収納棚６と棚下バー８の両方又は片方を、浴室の壁面１８に特別な加工をすることなく、後付できるので、必要に応じて棚下バー８の付け足しや削除が可能となる。
【００４１】
従来、棚下バー８を収納棚６に取り付けるには、収納棚６から突出した部分等に掛けて取り付けるような構成を採用しており、収納棚６から突出した部分が物品の出し入れの際に邪魔となっていたが、本発明の浴室収納具２７では、収納棚６の下に棚下バー８を取り付ける構成とし、収納棚６から突出した部分がないので、収納棚６に収納したボトル等の物品を出し入れがし易く、従来のように収納棚６から突出した部分に物品を引っ掛けて落下するようなことがない。
【００４２】
なお、上記の例では、図３（ｃ）に示すように、係止環９は第１の溝２０に掛けられ、掛留具受け部７の上縁部４４は第２の溝２１内に嵌入されているが、図３（ｅ）に示すように、係止環９は第２の溝２１に掛けられ、掛留具受け部７の上縁部４４は、第１の溝２０内に嵌入されるような構成としてもよい。
【００４３】
さらに、図４（ａ）に示すように、係止環９及び掛留具受け部７の上縁部４４を共に、第２の溝２１内に嵌入するような構成としてもよい。このような構成とすれば、図３（ｃ）に示す収納棚６の掛留具受け部７の構造を活かすことが可能となる。この場合は、掛留具受け部７の上縁部４４の下面を、図４（ｂ）に示すように、棚下バー８の係止環９の断面形状に沿うように、凹湾曲状に形成することが好ましい。このような構成とすれば、図示はしないが、第１の溝２０内に別の係止環を挿入することもでき、収納力がさらにアップする。
【００４４】
また、浴室収納具２７の取り付け場所は、浴室の壁面１８だけでなく、ショートカウンタの表面等その他の面であってもよい。上記実施例１では、棚下バー８は収納棚６より小さいが、収納棚６より大きくすれば、棚下バー８へより多くの収納物を掛けたりすることが可能となり、収納力がさらにアップする。
【００４５】
（実施例２）
図６及び図７は、本発明に係る収納掛留具及び収納具の実施例２を説明する図である。この実施例２の収納掛留具及び収納具は、実施例１と略同じであるが、収納掛留具の構成において一部異なる。実施例１と同じ構成は同じ符号を使用し、実施例２に特有な部分については別の符号を使用する。
【００４６】
実施例２の収納掛留具５１は、図７（ｃ）に示すように、実施例１の収納掛留具１と同様に、軸部５２と、軸部５２の軸方向に設けられた複数の保持部と、壁固定部と、を備えている。即ち、軸部５２の先端（前端）に設けられた第１の保持部５３と、軸部５２の略中央に設けられた第２の保持部５４と、軸部５２の基端（後端）に設けられた壁固定部５５と、を備えている。
【００４７】
実施例２の収納掛留具５１の特徴は、複数の保持部の少なくとも一つが別部材で構成され、その別部材が取り外し自在（着脱自在）に構成されている点である。具体的には、実施例２の収納掛留具５１は、図７（ｃ）に示すように、収納掛留具本体５９と第２の保持部５４とから成り、第２の保持部５４が収納掛留具本体５９に取り外し自在に装着されるように構成されている。
【００４８】
収納掛留具本体５９は、図６（ａ）、（ｂ）、図７（ｃ）に示すように、軸部５２と、第１の保持部５３と、壁固定部５５を一体として備え、中心を貫通するネジ孔５６が形成されている。       
【００４９】
第２の保持部５４は、円筒状に形成されている。第２の保持部５４には、その前後からそれぞれ前後方向に延びるように、第２の保持部５４と同心の円筒状の装着筒６０が形成されている。装着筒６０の頂部及び底部には、図６（ｃ）及び図７（ａ）に示すように、軸方向に延びるスリット６１が形成されている。これにより、装着筒６０は、左右の半割部６２に分割可能な構成とされている。
【００５０】
図６（ｃ）及び図７（ａ）に示すように、装着筒６０の頂部及び底部に形成されたスリット６１に連続して、第２の保持部５４にもスリット６５が頂部及び底部に向けて延びるように形成されている。これによって、第２の保持部５４も左右の半割部６６から成る構成とされている。
【００５１】
第２の保持部５４において頂部６７に向けて形成されたスリット６５は、頂面近くまで延びているが頂面まで達するように形成されていない。第２の保持部５４において底部に向けて形成されたスリットは第２の保持部５４の底面まで達するように形成されている。要するに、第２の保持部５４は、その頂部６７のみで左右の半割部６６が互いに接続されている。
【００５２】
第２の保持部５４及び装着筒６０は、それらに形成されたスリット６１、６５によって、図７（ａ）に示すように筒状に閉じた状態にもなるし、図７（ｂ）に示すように、第２の保持部５４の頂部６７を中心に半割部６２、６６が互いに開いた状態ともなる。
【００５３】
第２の保持部５４が図７（ａ）に示すように閉じた状態を保持するために、第２の保持部５４の左右の半割部６６の下部の互いに当接する面に、互いに弾力的に係合する凹部７０と凸部７１（ボタンで使用されるような構造の凹部と凸部）が設けられている。
【００５４】
収納掛留具５１の使用に際しては、第２の保持部５４及び装着筒６０を図７（ｂ）に示すように開いて、収納掛留具本体５９の軸部５２の外周囲に嵌めてから閉じて凹部７０と凸部７１を互い係合する。これによって、図７（ｃ）に示すように、第２の保持部５４を収納掛留具本体５９の軸部５２に装着することが可能となる。
【００５５】
そして、実施例１と同様に、収納掛留具５１には棚下バー８の左右の係止環９が第１の保持部５３と第２の保持部５４の間の第１の溝７４に嵌合され、また掛留具受け部７の上縁部４４は、第２の溝７５内に嵌入される。これによって、収納棚６及び棚下バー８は、収納掛留具５１に引っ掛け固定される。
【００５６】
なお、上記のように、棚下バー８の左右の係止環９及び掛留具受け部７の上縁部４４が、それぞれ第１の溝７４及び第２の溝７５内に嵌合され、第２の保持部５４及び装着筒６０は、閉じられた状態に保持されるのであるから、第２の保持部５４を閉じた状態を保持するための凹部７０と凸部７１は、場合（例えば、係止環９及び上縁部４４と第１の溝７４及び第２の溝７５とが密着するような寸法の場合等）によっては省略することも可能である。
【００５７】
図７（ｄ）に示すような実施例１の収納掛留具５１は、第１の溝２０及び第２の溝２１が形成されており、その中に溜まったゴミを取り除くのは若干手間が掛かる。これに較べて、実施例２の収納掛留具５１は、第２の保持部５４が取り外し可能であり、収納掛留具本体５９を図６（ａ）、（ｂ）に示す状態に、第２の保持部５４を図６（ｃ）、（ｄ）に示す状態に、互いに分解することができ、収納掛留具本体５９及び第２の保持部５４をそれぞれ清掃すればよいので、清掃性が向上する。
【００５８】
（実施例３）
図８は、本発明に係る収納掛留具及び収納具の実施例３を説明する図である。この実施例３の収納掛留具及び収納具は、実施例１と略同じであるが、収納掛留具の構成が一部異なる。実施例１と同じ構成は同じ符号を使用し、実施例３に特有な部分については別の符号を使用する。
【００５９】
実施例３の収納掛留具８１は、図８（ａ）に示すように、実施例１の収納掛留具１と同様に、軸部と、軸部の軸方向に設けられた複数の保持部と、壁固定部と、を備えている。即ち、軸部８２の先端に設けられた第１の保持部８３と、軸部８２の略中央に設けられた第２の保持部８４と、軸部８２の基端に設けられた壁固定部８５を備えている。第１の保持部８３と第２の保持部８４の間に第１の溝９６が形成され、第２の保持部８４と壁固定部８５の間に第２の溝９７が形成されている。
【００６０】
実施例３の収納掛留具８１の特徴は、軸部８２の先端に設けられた第１の保持部８３の周面に雄ネジ８８が形成されており、この雄ネジ８８に螺着可能なフック付きキャップ８９が設けられている構成である。フック付きキャップ８９は、その上部後面に雄ねじ８８に螺合可能な雌ネジ９０が形成されており、その下部前面にはフック９１が形成されている。
【００６１】
使用に際しては、図８（ｂ）に示すように、ネジ９５で浴室の壁面１８に固定された収納掛留具８１の第１の保持部８３に、フック付きキャップ８９を螺着する。そして、図８（ｃ）に示すように、棚下バー８の左右の係止環９が第１の溝９６に嵌合させ、さらに掛留具受け部７の上縁部４４は、第２の溝９７内に嵌入させる。
【００６２】
実施例３によれば、棚下バー８に加えて、さらにフック付きキャップ８９が収納棚６のすぐ下方に設けられているので、紐付きブラシ等の小物をフック９１に掛けて使用することができ、収納力をさらに増強することができる。
【００６３】
なお、第１の保持部とフック付きキャップが互いに螺着する構成に替えて、第１の保持部及びフック付きキャップにネジを設けないで、第１の保持部は実施例１のような構成として、フック付きキャップはその上部後面に、第１の保持部に外側から弾力的に嵌着できるような環状の凹部を設けた構成としてもよい。
【００６４】
或いは、第１の保持部とフック付きキャップが弾力的に係合できるように、互いの当接面、即ち第１の保持部の前面及びフック付きキャップの上部後面に、互いに弾力的に係合するボタンのような構造の凹部及び凸部を設けた構成としてもよい。
【００６５】
以上、本発明に係る収納掛留具及び該収納掛留具を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６６】
本発明に係る収納掛留具及び該収納掛留具は上記のような構成であるから、浴室の壁面だけでなく、洗面室、キッチン、その他いろいろな室の壁面にも適用可能である。
【符号の説明】
【００６７】
１  収納掛留具                               
２  軸部                                     
３  保持部                                   
６  収納棚                                   
７  掛留具受け部                             
８  棚下バー                                 
９  棚下バーの係止環                         
１３  第１の保持部                           
１４  第２の保持部                           
１５  壁固定部                           
１８  浴室の壁面                             
２０  第１の溝                               
２１  第２の溝                               
２３  ネジ通し孔                             
２４  ネジ                                   
２７  浴室収納具                             
２８  収納棚の底面部                                 
２９  収納棚の前面の落下防止部                       
３０  収納棚の側面の落下防止部                       
３１  収納棚の後面の落下防止部                       
３４  収納棚の掛留具受け部の空孔             
３５  収納棚の掛留具受け部の開口部           
３８  棚下バーの支持部                       
３９  棚下バーの起立部                       
４０  棚下バーの突っ張り部                   
４１  棚下バーの補強部                       
４４  収納棚の掛留具受け部の上縁部           
４５  タオル                                 
４６  フック                                 
４７  マイケアミスト（登録商標）             
５１  収納掛留具                             
５２  軸部                                   
５３  第１の保持部                           
５４  第２の保持部                           
５５  壁固定部                          
５６  ネジ孔                                 
５９  収納掛留具本体                         
６０  装着筒                                 
６１  装着筒のスリット                       
６２  装着筒の半割部                         
６５  第２の保持部のスリット                 
６６  第２の保持部の半割部                   
６７  第２の保持部の頂部                     
７０  第２の保持部の半割部の凹部             
７１  第２の保持部の半割部の凸部             
７４  第１の溝                               
７５  第２の溝                               
８１  収納掛留具                             
８２  軸部                                   
８３  第１の保持部                           
８４  第２の保持部                           
８５  壁固定部                          
８８  第１の保持部の雄ネジ                   
８９  フック付きキャップ                     
９０  フック付きキャップの雌ネジ             
９１  フック付きキャップのフック             
９５  ネジ                                   
９６  第１の溝                               
９７  第２の溝                               
【図１】
2015062607.tif 000003
【図２】
2015062607.tif 000004
【図３】
2015062607.tif 000005
【図４】
2015062607.tif 000006
【図５】
2015062607.tif 000007
【図６】
2015062607.tif 000008
【図７】
2015062607.tif 000009
【図８】
2015062607.tif 000010